(57)【要約】【課題】  特定の分野において検索する際に用いられる検索情報を記憶する検索データベースの作成装置を提供する。【解決手段】  文書情報を収集する入力部１１と、収集された文書情報に対応する文を構成する一又は複数の言葉を、当該文書情報に対応する文章要素として収集された文書情報から抽出する抽出部１３１と、予め設定された楽曲分野における一または複数の分類に属するものの名称を示す名称情報を記憶する分類ＤＢ１５と、記憶されている名称情報に対応する名称と同一の名称を示す前記文章要素である同一名称要素と、当該同一名称要素以外の他の前記文章要素と、の関連性を示す関連値を算出する算出部１３２と、同一名称要素と他の文章要素と関連値とを、同一の名称に関連する情報を楽曲分野において検索する際の検索情報として記憶する検索ＤＢ１５と、検索ＤＢ１５に記憶されている情報を制御する記憶制御部１３３と、を備える検索ＤＢ作成装置Ｍにより上記課題を解決する。【選択図】  図１
2006146586.tif 000002
【特許請求の範囲】
【請求項１】
文書情報を収集する収集手段と、
収集された前記文書情報に対応する文を構成する一又は複数の言葉を、当該文書情報に対応する文章要素として当該収集された文書情報から抽出する抽出手段と、
予め設定された分野における一または複数の分類に属するものの名称を示す名称情報を記憶する名称記憶手段と、
記憶されている前記名称情報に対応する名称と同一の名称を示す前記文章要素である同一名称要素と、当該同一名称要素以外の他の前記文章要素と、の関連性を示す関連値を算出する算出手段と、
前記同一名称要素と、前記他の文章要素と、前記関連値と、を、前記同一の名称に関連する情報を前記分野において検索する際の検索情報として記憶する検索情報記憶手段と、
算出された前記関連値に基づいて、前記検索情報記憶手段に記憶されている情報を制御する記憶制御手段と、
を備えることを特徴とする検索データベース作成装置。
【請求項２】
請求項１に記載の検索データベース作成装置であって、
前記算出手段によって新たな関連値が算出された場合に、
前記記憶制御手段は、前記新たな関連値と、前記新たな関連値によって関連性が示されている前記同一名称要素および前記他の文章要素と、前記検索情報と、に基づいて前記検索情報記憶手段に記憶させる情報を制御することを特徴とする検索データベース作成装置。
【請求項３】
請求項２に記載の検索データベース作成装置であって、
前記新たな関連値によって関連性が示されている前記同一名称要素および前記他の文章要素が前記検索情報として前記検索情報記憶手段に記憶されている場合に、
前記記憶制御手段は、記憶されている当該同一名称要素および当該他の文章要素の関連値に前記新たな関連値を加算して検索情報記憶手段に記憶させることを特徴とする検索データベース作成装置。
【請求項４】
請求項２または３に記載の検索データベース作成装置であって、
前記新たな関連値によって関連性が示されている前記同一名称要素および前記他の文章要素が前記検索情報として前記検索情報記憶手段に記憶されていない場合に、
前記記憶制御手段は、当該同一名称要素と、当該他の文章要素と、前記新たな関連値と、を、新たな検索情報として検索情報記憶手段に記憶させることを特徴とする検索データベース作成装置。
【請求項５】
請求項１乃至請求項４のいずれか一項に記載の検索データベース作成装置であって、
前記検索情報記憶手段が記憶する前記関連値が、予め設定された期間を経過する間に加算されない場合には、
前記記憶制御手段は、当該関連値を有する前記他の文章要素を前記検索情報から削除することを特徴とする検索データベース作成装置。
【請求項６】
請求項１乃至請求項５のいずれか一項に記載の検索データベース作成装置であって、
前記収集手段は、さらに、画像情報を収集し、
前記抽出手段は、さらに、収集された前記画像情報に対応する画像を構成する一又は複数のものの名称を、当該画像情報に対応する文章要素として当該収集された画像情報から抽出することを特徴とする検索データベース作成装置。
【請求項７】
請求項１乃至請求項６のいずれか一項に記載の検索データベース作成装置であって、
前記収集手段は、さらに、音声情報を収集し、
前記抽出手段は、さらに、収集された前記音声情報に対応する音声を文書化した文を構成する一又は複数の言葉を、当該音声情報に対応する文章要素として当該収集された音声情報から抽出することを特徴とする検索データベース作成装置。
【請求項８】
請求項１乃至請求項７のいずれか一項に記載の検索データベース作成装置であって、
前記予め設定された分野は、楽曲または画像のいずれか一方の分野であることを特徴とする検索データベース作成装置。
【請求項９】
文書情報を収集する収集工程と、
収集された前記文書情報に対応する文を構成する一又は複数の言葉を、当該文書情報に対応する文章要素として当該収集された文書情報から抽出する抽出工程と、
予め設定された分野における一または複数の分類に属するものの名称と同一の名称を示す前記文章要素である同一名称要素と、当該同一名称要素以外の他の前記文章要素と、の関連性を示す関連値を算出する算出工程と、
前記算出工程によって前記関連値が算出された場合に、前記同一名称要素と、前記他の文章要素と、前記関連値と、を、前記同一の名称に関連する情報を前記分野において検索する際の検索情報として記憶する検索情報記憶手段の前記検索情報を更新する更新工程と、
を有することを特徴とする検索データベース作成方法。
【請求項１０】
入力された言葉に関連する情報を検索するために用いられる検索データベースを作成するためのコンピュータを、
請求項１乃至請求項８のいずれか一項に記載の検索データベース作成装置として機能させることを特徴とする検索データベース作成用プログラム。
【請求項１１】
請求項１０に記載の検索データベース作成用プログラムを、前記コンピュータで読み取り可能に記録したことを特徴とする情報記録媒体。
【請求項１２】
請求項１乃至請求項８のいずれか一項に記載の検索データベース作成装置に用いられる名称記憶手段としての名称情報記録媒体であって、
前記予め設定された分野における一または複数の分類に属するものの名称を示す名称情報が記録されたことを特徴とする名称情報記録媒体。
【請求項１３】
請求項１２に記載の名称情報記録媒体であって、
前記予め設定された分野が楽曲の分野である場合に、
前記名称情報は、楽曲を演奏または歌唱するアーティストの名称、楽曲が記録されたアルバムの名称、楽曲が記録されたシングルの名称、楽曲の題名、楽器の名称、楽器の製造者の名称、作詞者の名称、作曲者の名称、編曲者の名称、楽曲が実演された場所の名称、若しくは楽曲が録音された場所の名称またはこれらの略称若しくは別称の少なくともいずれか一つを含む情報であることを特徴とする名称情報記録媒体。
【請求項１４】
請求項１２に記載の名称情報記録媒体であって、
前記予め設定された分野が画像の分野である場合に、
前記名称情報は、静止画像および動画像からなる画像の題名、ドラマの題名、映画の題名、芝居の題名、放送番組の名称、写真の題名、絵画の題名、画像の作製者の名称、画像の出演者の名称、画像が録画された場所の名称、またはこれらの略称若しくは別称の少なくともいずれか一つを含む情報であることを特徴とする名称情報記録媒体。
【請求項１５】
請求項１乃至請求項８のいずれか一項に記載の検索データベース作成装置により作成された前記検索情報が記憶されている情報検索用記録媒体を用いて、予め設定された分野の入力された言葉に関連する情報を検索するための情報検索装置であって、
検索される前記予め設定された分野の言葉を入力するための入力手段と、
前記入力手段により入力された言葉を含む前記同一名称要素または前記他の文章要素を前記検索情報から入力語として選択する第一選択手段と、
前記入力語に対する関連値が高い順に、前記同一名称要素または前記他の文章要素を前記検索情報から関連語として選択する第二選択手段と、
前記第一選択手段および前記第二選択手段により選択された前記入力語と前記関連語とを、対応付けて表示する出力手段と、
を有することを特徴とする情報検索装置。
【請求項１６】
請求項１５に記載の情報検索装置であって、
前記入力手段は、さらに、前記出力手段により表示された前記入力語または前記関連語を選択するために用いられるとともに、
前記入力手段により選択された前記入力語または前記関連語が、楽曲または画像の題名である場合には、
前記出力手段は、さらに、選択された楽曲または画像の題名に対応する楽曲または画像を再生することを特徴とする情報検索装置。
【請求項１７】
請求項１５または請求項１６に記載の情報検索装置であって、
前記入力手段は、さらに、前記出力手段により表示された前記関連語を選択するために用いられるとともに、
前記入力手段により選択された前記関連語が、楽曲または画像の題名でない場合には、
前記第一選択手段は、さらに、前記入力手段により選択された前記関連語を前記入力語として扱うことを特徴とする情報検索装置。
【請求項１８】
請求項１５乃至請求項１７のいずれか一項に記載の情報検索装置であって、
前記出力手段は、前記情報検索用記録媒体に含まれる前記入力語と前記関連語との間の前記関連値に基づいて、
選択された前記入力語と前記関連語とを、前記関連語同士の関連値の比に対応付けて表示することを特徴とする情報検索装置。
【請求項１９】
請求項１５乃至請求項１８のいずれか一項に記載の情報検索装置であって、
前記出力手段は、前記入力語の表示の周囲に前記関連語の表示を配置した画面を表示することを特徴とする情報検索装置。
【請求項２０】
請求項１５乃至請求項１９のいずれか一項に記載の情報検索装置であって、
前記検索情報に前記関連値が更新された時刻を示す更新時刻情報が含まれている場合に、
前記出力手段は、前記入力語と、前記更新時刻情報が予め設定された範囲内である前記関連語と、を表示することを特徴とする情報検索装置。
【請求項２１】
予め設定された分野に関連する言葉を入力するための端末装置と、請求項１乃至請求項８のいずれか一項に記載の検索データベース作成装置により作成された前記検索情報が記憶されている情報検索用記録媒体を用いて、入力された前記言葉に関する情報を検索するためのサーバ装置とからなる情報検索システムであって、
検索される前記予め設定された分野の言葉を入力するための入力手段と、
前記入力手段により入力された言葉を含む前記同一名称要素または前記他の文章要素を前記検索情報から入力語として選択する第一選択手段と、
前記入力語に対する関連値が高い順に、前記同一名称要素または前記他の文章要素を前記検索情報から関連語として選択する第二選択手段と、
前記第一選択手段および前記第二選択手段により選択された前記入力語と前記関連語とを、対応付けて表示する出力手段と、
を有することを特徴とする情報検索システム。
【請求項２２】
請求項２１に記載の情報検索システムであって、
前記サーバ装置は、前記情報検索用記録媒体と、前記名称記憶手段としての名称情報記録媒体と、前記第一選択手段と、前記第二選択手段と、を有し、
前記端末装置は、前記入力手段と、前記出力手段と、を有することを特徴とする情報検索システム。
【請求項２３】
請求項２１または請求項２２に記載の情報検索システムを構成するサーバ装置であって、
前記名称情報記録媒体と、
前記情報検索用記録媒体と、
前記入力手段により入力された言葉を含む入力語を前記情報検索用記録媒体の前記検索データに含まれる前記同一名称要素および前記他の文章要素から選択する第一選択手段と、
前記情報検索用記録媒体から選択された前記入力語に対する関連値が高い順に、前記検索データから前記同一名称要素または前記他の文章要素を関連語として選択する第二選択手段と、
を有することを特徴とするサーバ装置。
【請求項２４】
請求項２１または請求項２２に記載の情報検索システムを構成する端末装置であって、
検索される前記予め設定された分野に関連する言葉を入力するための入力手段と、
前記第一選択手段および前記第二選択手段により選択された前記入力語と前記関連語とを、対応付けて表示する出力手段と、
を有することを特徴とする端末装置。
【請求項２５】
請求項１乃至請求項８のいずれか一項に記載の検索データベース作成装置により作成された前記検索情報が記憶されている情報検索用記録媒体を用いて、予め設定された分野の入力された言葉に関連する情報を検索するための情報検索方法であって、
検索される前記予め設定された分野の言葉が入力される入力工程と、
前記入力工程により入力された言葉を含む前記同一名称要素または前記他の文章要素を前記検索情報から入力語として選択する第一選択工程と、
前記入力語に対する関連値が高い順に、前記同一名称要素または前記他の文章要素を前記検索情報から関連語として選択する第二選択工程と、
前記第一選択工程および前記第二選択工程により選択された前記入力語と前記関連語とを、対応付けて表示する出力工程と、
を有することを特徴とする情報検索方法。
【請求項２６】
請求項１乃至請求項８のいずれか一項に記載の検索データベース作成装置により作成された前記検索情報が記憶されている情報検索用記録媒体を用いて、予め設定された分野の入力された言葉に関連する情報を検索するためのコンピュータを、
請求項１５乃至請求項２０のいずれか一項に記載の情報検索装置として機能させることを特徴とする情報検索用プログラム。
【請求項２７】
請求項２６に記載の情報検索用プログラムを、前記コンピュータで読み取り可能に記録したことを特徴とする情報記録媒体。
【請求項２８】
請求項１５乃至請求項２０のいずれか一項に記載の情報検索装置または請求項２１若しくは請求項２２に記載の情報検索システムに用いられる情報検索用記録媒体であって、
前記同一名称要素と、前記他の文章要素と、前記関連値と、を、前記同一の名称に関連する情報を前記分野において検索する際の前記検索情報として記録されていることを特徴とする情報検索用記録媒体。
【発明の詳細な説明】
【技術分野】
【０００１】
本願は、検索データベース作成装置、情報検索装置および情報検索システム等に関する。
【背景技術】
【０００２】
従来より、様々な分野において、情報を検索する手段が知られている。そのうち、楽曲または映画等の画像についての情報を検索する場合には、以下のような方法が用いられている。
【０００３】
まず、（１）楽曲や画像に関する言葉を入力し、その言葉を含む情報を検索する技術が知られている。また、（２）ＣＤＤＢ（ＣＤ Ｄａｔｅ Ｂａｓｅ）のように、ＣＤのアルバム名に対応させて当該アルバムに記録されている楽曲の名称等を空欄にして公開し、その空欄の情報をユーザ等が充填していくことにより、楽曲の検索条件を充実させていくことが行われている。このことにより、他のユーザが充填された楽曲の名称等の情報を得ることができることとなる。
【０００４】
一方、特許文献１に開示されるように、インターネット等のオープンネットシステムを利用したデータのダウンロードサービスにおいて、関連するキーワードから次々と関連した情報を検索することができるデータベースのテーブルを備えたデータ検索装置等が提案されている。
【特許文献１】特開２００２−７４４２
【発明の開示】
【発明が解決しようとする課題】
【０００５】
しかしながら、上述の（１）の技術によると、通常、検索する言葉を含む情報は、楽曲や画像についての情報に限定されていない。そのため、この技術を楽曲検索または画像検索に用いると、楽曲、画像以外の情報も検索される。その結果、ユーザは、検索された情報の中からさらに所望の楽曲等を探すための作業を行わなければならないという不都合があった。
【０００６】
また、上述の（２）の技術によると、ＣＤＤＢ等は情報が正確である反面、情報を正確に集めるための作業が必要であるとともに、ＣＤＤＢの正確さを確認する作業が必要となる場合がある。
【０００７】
一方、ユーザが検索したい楽曲名やアーティスト名を思い出せない場合等には、ユーザが検索したい楽曲名等に近いと考える情報を入力することにより、楽曲名やアーティスト名を検索することができると、ユーザにとって検索手段の利便性が向上する。上述の特許文献１に記載の技術は、入力した言葉に関連する情報を検索することを可能としたものである。
【０００８】
しかしながら、特許文献１に記載の技術においては、入力した言葉に関連する情報を得られるものの、入力した言葉と関連する情報との関連性の高さは不明である。こうした入力した言葉と関連する情報との間、また、関連する情報同士の間に、どの程度関連性があるのか、ユーザが認識できると、検索手段の利便性がさらに向上する。
【０００９】
そこで、本願は、検索するために入力した言葉の他に、この入力した情報に関連する情報をユーザに提示することができ、さらに、入力した言葉と関連する情報との間、また、関連した情報同士の間の関連性の高さをもユーザに提示することを可能とする新たな技術を提供することを課題の一例とする。
【課題を解決するための手段】
【００１０】
上記の課題を解決するために、請求項１に記載の発明は、文書情報を収集する収集手段と、収集された前記文書情報に対応する文を構成する一又は複数の言葉を、当該文書情報に対応する文章要素として当該収集された文書情報から抽出する抽出手段と、予め設定された分野における一または複数の分類に属するものの名称を示す名称情報を記憶する名称記憶手段と、記憶されている前記名称情報に対応する名称と同一の名称を示す前記文章要素である同一名称要素と、当該同一名称要素以外の他の前記文章要素と、の関連性を示す関連値を算出する算出手段と、前記同一名称要素と、前記他の文章要素と、前記関連値と、を、前記同一の名称に関連する情報を前記分野において検索する際の検索情報として記憶する検索情報記憶手段と、算出された前記関連値に基づいて、前記検索情報記憶手段に記憶されている情報を制御する記憶制御手段と、を備えることを特徴とする検索データベース作成装置である。
【００１１】
上記の課題を解決するために、請求項９に記載の発明は、文書情報を収集する収集工程と、収集された前記文書情報に対応する文を構成する一又は複数の言葉を、当該文書情報に対応する文章要素として当該収集された文書情報から抽出する抽出工程と、予め設定された分野における一または複数の分類に属するものの名称と同一の名称を示す前記文章要素である同一名称要素と、当該同一名称要素以外の他の前記文章要素と、の関連性を示す関連値を算出する算出工程と、前記算出工程によって前記関連値が算出された場合に、前記同一名称要素と、前記他の文章要素と、前記関連値と、を、前記同一の名称に関連する情報を前記分野において検索する際の検索情報として記憶する検索情報記憶手段の前記検索情報を更新する更新工程と、を有することを特徴とする検索データベース作成方法である。
【００１２】
上記の課題を解決するために、請求項１０に記載の発明は、入力された言葉に関連する情報を検索するために用いられる検索データベースを作成するためのコンピュータを、請求項１乃至請求項８のいずれか一項に記載の検索データベース作成装置として機能させることを特徴とする検索データベース作成用プログラムである。
【００１３】
上記の課題を解決するために、請求項１１に記載の発明は、請求項１０に記載の検索データベース作成用プログラムを、前記コンピュータで読み取り可能に記録したことを特徴とする情報記録媒体である。
【００１４】
上記の課題を解決するために、請求項１２に記載の発明は、請求項１乃至請求項８のいずれか一項に記載の検索データベース作成装置に用いられる名称記憶手段としての名称情報記録媒体であって、前記予め設定された分野における一または複数の分類に属するものの名称を示す名称情報が記録されたことを特徴とする名称情報記録媒体である。
【００１５】
上記の課題を解決するために、請求項１５に記載の発明は、請求項１乃至請求項８のいずれか一項に記載の検索データベース作成装置により作成された前記検索情報が記憶されている情報検索用記録媒体を用いて、予め設定された分野の入力された言葉に関連する情報を検索するための情報検索装置であって、検索される前記予め設定された分野の言葉を入力するための入力手段と、前記入力手段により入力された言葉を含む前記同一名称要素または前記他の文章要素を前記検索情報から入力語として選択する第一選択手段と、前記入力語に対する関連値が高い順に、前記同一名称要素または前記他の文章要素を前記検索情報から関連語として選択する第二選択手段と、前記第一選択手段および前記第二選択手段により選択された前記入力語と前記関連語とを、対応付けて表示する出力手段と、を有することを特徴とする情報検索装置である。
【００１６】
上記の課題を解決するために、請求項２１に記載の発明は、予め設定された分野に関連する言葉を入力するための端末装置と、請求項１乃至請求項８のいずれか一項に記載の検索データベース作成装置により作成された前記検索情報が記憶されている情報検索用記録媒体を用いて、入力された前記言葉に関する情報を検索するためのサーバ装置とからなる情報検索システムであって、検索される前記予め設定された分野の言葉を入力するための入力手段と、前記入力手段により入力された言葉を含む前記同一名称要素または前記他の文章要素を前記検索情報から入力語として選択する第一選択手段と、前記入力語に対する関連値が高い順に、前記同一名称要素または前記他の文章要素を前記検索情報から関連語として選択する第二選択手段と、前記第一選択手段および前記第二選択手段により選択された前記入力語と前記関連語とを、対応付けて表示する出力手段と、を有することを特徴とする情報検索システムである。
【００１７】
上記の課題を解決するために、請求項２３に記載の発明は、請求項２１または請求項２２に記載の情報検索システムを構成するサーバ装置であって、前記名称情報記録媒体と、前記情報検索用記録媒体と、前記入力手段により入力された言葉を含む入力語を前記情報検索用記録媒体の前記検索データに含まれる前記同一名称要素および前記他の文章要素から選択する第一選択手段と、前記情報検索用記録媒体から選択された前記入力語に対する関連値が高い順に、前記検索データから前記同一名称要素または前記他の文章要素を関連語として選択する第二選択手段と、を有することを特徴とするサーバ装置である。
【００１８】
上記の課題を解決するために、請求項２４に記載の発明は、請求項２１または請求項２２に記載の情報検索システムを構成する端末装置であって、検索される前記予め設定された分野に関連する言葉を入力するための入力手段と、前記第一選択手段および前記第二選択手段により選択された前記入力語と前記関連語とを、対応付けて表示する出力手段と、を有することを特徴とする端末装置である。
【００１９】
上記の課題を解決するために、請求項２５に記載の発明は、請求項１乃至請求項８のいずれか一項に記載の検索データベース作成装置により作成された前記検索情報が記憶されている情報検索用記録媒体を用いて、予め設定された分野の入力された言葉に関連する情報を検索するための情報検索方法であって、検索される前記予め設定された分野の言葉が入力される入力工程と、前記入力工程により入力された言葉を含む前記同一名称要素または前記他の文章要素を前記検索情報から入力語として選択する第一選択工程と、前記入力語に対する関連値が高い順に、前記同一名称要素または前記他の文章要素を前記検索情報から関連語として選択する第二選択工程と、前記第一選択工程および前記第二選択工程により選択された前記入力語と前記関連語とを、対応付けて表示する出力工程と、を有することを特徴とする情報検索方法である。
【００２０】
上記の課題を解決するために、請求項２６に記載の発明は、請求項１乃至請求項８のいずれか一項に記載の検索データベース作成装置により作成された前記検索情報が記憶されている情報検索用記録媒体を用いて、予め設定された分野の入力された言葉に関連する情報を検索するためのコンピュータを、請求項１５乃至請求項２０のいずれか一項に記載の情報検索装置として機能させることを特徴とする情報検索用プログラムである。
【００２１】
上記の課題を解決するために、請求項２７に記載の発明は、請求項２６に記載の情報検索用プログラムを、前記コンピュータで読み取り可能に記録したことを特徴とする情報記録媒体である。
【００２２】
上記の課題を解決するために、請求項２８に記載の発明は、請求項１５乃至請求項２０のいずれか一項に記載の情報検索装置または請求項２１若しくは請求項２２に記載の情報検索システムに用いられる情報検索用記録媒体であって、前記同一名称要素と、前記他の文章要素と、前記関連値と、を、前記同一の名称に関連する情報を前記分野において検索する際の前記検索情報として記録されていることを特徴とする情報検索用記録媒体である。
【発明を実施するための最良の形態】
【００２３】
以下、図１乃至図１８を参照し、本願に係る実施形態について説明する。
【００２４】
まず、検索データベース作成装置について、検索情報記憶手段または作成された情報検索用記録媒体としての検索データベース、検索データベース作成装置が利用する名称記憶手段または名称情報記録媒体としての分類データベース、を含めて説明する。次いで、情報検索装置について説明し、情報検索装置の変形形態である情報検索システムについて説明する。なお、これらの実施形態においては、本願における予め設定された分野を楽曲の分野としたものである。係る実施形態は、本願を限定するものではなく、本願の技術思想の範囲内において任意に変更可能である。
【００２５】
（１）検索データベース作成装置
本実施形態の検索データベース作成装置について、図１を参照して説明する。なお、図１は、本実施形態の検索データベース作成装置の概要構成を示すブロック図である。
【００２６】
図１に示すように、本実施形態に係る検索データベース作成装置Ｍは、入力部１１と、出力部１２と、抽出部１３１、算出部１３２および記憶制御部１３３を含むＣＰＵ（central processing unit；中央演算処理装置）１３と、検索データベース１４と、分類データベース１５と、により構成されている。
【００２７】
なお、例えば、入力部１１は本願の収集手段として機能し、ＣＰＵ１３における抽出部１３１は本願の抽出手段として機能し、ＣＰＵ１３における算出部１３２は本願の算出手段として機能し、ＣＰＵ１３における記憶制御部１３３は、本願の記憶制御手段として機能する。また、検索データベース１４は本願の検索情報記憶手段または情報検索用記録媒体として機能し、分類データベース１５は本願の名称記憶手段または名称情報記録媒体として機能する。以下において、検索データベースおよび分類データベースにおけるデータベースをＤＢと省略する。
【００２８】
まず、検索ＤＢ作成装置Ｍにおける入力部１１は、文書情報を収集し、好ましくは、新たな文書情報を逐次収集するものである。
【００２９】
入力部１１が収集する文書情報としては、楽曲に関連する記事が掲載されるインターネットホームページ上の文書情報、楽曲に関連する記事が掲載される雑誌の記事を文字解析等のソフトウェアにより文書化された文書情報、ユーザが入力した文書情報等、種々の文書情報が用いられる。これらの文書情報をどのような情報から引用するかを予め設定しておき、引用元の情報が更新された場合には、逐次、新たな情報を取得する。
【００３０】
ＣＰＵ１３の抽出部１３１は、データベース作成装置Ｍの上述の入力部１１により文書情報が収集されると、収集された文書情報に対応する文を構成する一又は複数の言葉を、当該文書情報に対応する文章要素として当該収集された文書情報から抽出する。
【００３１】
ＣＰＵ１３の算出部１３２は、後述する分類ＤＢ１５に記憶されている前記名称情報に対応する名称と同一の名称を示す前記文章要素である同一名称要素と、当該同一名称要素以外の他の前記文章要素と、の関連性を示す関連値を算出する。また、算出部１３２は、入力部１１が新たな文書情報を収集すると、新たな文書情報により新たな関連値を算出し、また、一の文書情報における新たな文により新たな関連値を算出する。
【００３２】
さらに、ＣＰＵ１３の記憶制御部１３３は、検索ＤＢ１４に前記同一名称要素と、前記他の文章要素と、前記関連値と、を、前記同一の名称に関連する情報を楽曲の分野において検索する際の検索情報として記憶させる。また、記憶制御部１３３は、新たな関連値が算出されると、検索ＤＢ１４が記憶する検索情報を更新する。
【００３３】
ＣＰＵ１３の記憶制御部１３３は、算出部１３２によって新たな関連値が算出された場合に、新たな関連値と、新たな関連値によって関連性が示されている前記同一名称要素および前記他の文章要素と、前記検索情報と、に基づいて検索ＤＢ１４に記憶させる情報を制御する。
【００３４】
具体的に、新たな関連値によって関連性が示されている同一名称要素および他の文章要素が検索情報として検索ＤＢ１４に記憶されている場合には、記憶制御部１３３は、記憶されている当該同一名称要素および当該他の文章要素の関連値に新たな関連値を加算して関連値を更新する。また、新たな関連値によって関連性が示されている同一名称要素および他の文章要素が検索情報として検索ＤＢ１４に記憶されていない場合には、記憶制御部１３３は、当該同一名称要素と、当該他の文章要素と、新たな関連値と、を、新たな検索情報として検索ＤＢ１４に記憶させる。
【００３５】
さらに、記憶制御部１３３は、検索ＤＢ１４に記憶された関連値が予め設定された期間、例えば一ヶ月を経過する間に加算されないことを認識した場合には、当該関連値を有する他の文章要素を検索情報から削除する。
【００３６】
その他、ＣＰＵ１３は、データベース作成装置Ｍが行う種々の処理を制御する。
【００３７】
検索ＤＢ１４は、同一名称要素と、他の文章要素と、関連値と、を、同一の名称に関連する情報を楽曲の分野において検索する際の検索情報として記憶している。検索ＤＢ１４については、検索ＤＢ１４を作成するための処理の仕方とともに、後に詳述する。
【００３８】
分類ＤＢ１５は、予め設定された分野、ここでは楽曲の分野における一または複数の分類に属するものの名称を示す名称情報を記憶する。分類ＤＢ１５が記憶する名称情報については、図２を用いて後述する。
【００３９】
出力部１２は、検索ＤＢ１４の検索情報を楽曲検索に供するために、外部へと出力する。
【００４０】
ここで、名称記憶手段または名称情報記録媒体としての分類ＤＢ１５の構成について、図２を用いて具体的に説明する。図２は、本実施形態の分類データベースが記憶する名称情報の例を示す表である。
【００４１】
分類ＤＢ１５は、予め設定された分野、本実施形態においては楽曲の分野における一または複数の分類に属するものの名称を示す名称情報を記憶されている。名称情報に含まれる情報は特に限定されないが、例えば、楽曲を演奏または歌唱するアーティストの名称、楽曲が記録されたアルバムの名称、楽曲が記録されたシングルの名称、楽曲の題名、楽器の名称、楽器の製造者の名称、作詞者の名称、作曲者の名称、編曲者の名称、楽曲が実演された場所の名称、若しくは楽曲が録音された場所の名称またはこれらの略称若しくは別称の少なくともいずれか一つを含む情報が挙げられる。なお、別称としては、日本語表記の名称に対する英語表記、英語表記の名称に対する日本語表記等の別称であってもよい。
【００４２】
具体的に、図２（ａ）には、楽曲を演奏または歌唱するアーティストの名称（アーティスト名）の分類に属するものの名称情報が表されている。アーティスト名については、少なくともアーティストの全名称が分類ＤＢ１５に記憶されている（例えば、アーティスト「ＡＡ○」）。また、アーティストの全名称について、他の日本語表記や英語表記がある場合には、その英語表記等の名称が、別称として分類ＤＢ１５に記憶されている（例えば、アーティスト「ＡＡ○」に対して「エーエーマル」、「ＡＡmaru」）。その他、当該アーティストについて、多用されている略称がある場合にも、その略称が別称として分類ＤＢ１５に記憶されている。図２（ａ）に示すように、各アーティストの名称につき、番号が割り当てられていると、分類ＤＢ１５の名称情報を抽出する上で、便利である。
【００４３】
図２（ｂ）には、楽曲が記録されたアルバムの名称（アルバム名）の分類に属するものの名称情報が表されている。アルバム名は、少なくともアルバムの題名（全名称）が分類ＤＢ１５に記憶されている。また、アーティスト名と同様に、アルバムの略称や別称が分類ＤＢ１５に記憶されていてもよい。さらに、上述のように、各アーティスト名に番号が割り当てられている場合には、図２（ｂ）に示すように、アルバム名に対して、当該アルバムを発表したアーティストの番号が分類ＤＢ１５に記憶されていてもよい。
【００４４】
図２（ｃ）には、楽曲の題名（楽曲名）の分類に属するものの名称情報が表されている。楽曲名は、楽曲が記録されたシングルの名称と同一となる場合もある。楽曲名は、少なくとも楽曲の題名（全名称）が分類ＤＢ１５に記憶されている。また、アーティスト名と同様に、楽曲の略称や別称が分類ＤＢ１５に記憶されていてもよい。さらに、上述のように、各アーティスト名に番号が割り当てられている場合には、図２（ｃ）に示すように、楽曲名に対して、当該楽曲を発表したアーティストの番号が分類ＤＢ１５に記憶されていてもよい。
【００４５】
図２（ｄ）には、楽器の名称（楽器名）の分類に属するものの名称情報が表されている。楽器名は、少なくとも楽器の全名称が分類ＤＢ１５に記憶されている。また、図２（ｄ）に示すように、当該楽器に対して、そのメーカ名や、ギター、キーボード等の種類の情報が、分類ＤＢ１５に記憶されていてもよい。アーティスト名と同様に、楽器の略称や別称が分類ＤＢ１５に記憶されていてもよい。
【００４６】
こうした分類ＤＢ１５を作成するには、既存のＣＤＤＢ等を利用することも可能である。
【００４７】
次いで、検索ＤＢ作成装置Ｍが行う処理について、図３を参照して説明する。なお、図３は、本実施形態の検索データベース作成装置において検索データベースの作成工程を示す流れ図である。
【００４８】
図３に示すように、処理が開始されると（スタート）、ＣＰＵ１３が、入力部１１によって文書情報が収集されたことを認識し（ステップＳ１１）、ＣＰＵ１３の抽出部１３１は、収集された文書情報に対応する文を構成する一又は複数の言葉を、当該文書情報に対応する文章要素として当該収集された文書情報から抽出する（ステップＳ１２）。次いで、ＣＰＵ１３の算出部１３２は、分類ＤＢ１５に名称情報として記憶されている名称と同一の名称を示す文章要素である同一名称要素と、当該同一名称要素以外の他の文章要素と、の関連性を示す関連値を算出する（ステップＳ１３）。次いで、ＣＰＵ１３は、同一名称要素と、他の文章要素と、関連値と、を、同一の名称に関連する情報を上述の楽曲分野において検索する際の検索情報として、検索ＤＢ１４に記憶させる（ステップＳ１４）。このようにして、一連の処理が終了し（エンド）、検索ＤＢ１４が作成される。なお、Ｓ１２およびＳ１３の工程は、テキストマイニングとも称される処理を利用したものである。
【００４９】
Ｓ１１からＳ１４までの各工程について、図３から図１２を参照して具体的に説明する。ここで、図４は、本実施形態の検索データベースの作成段階において引用される文書情報の一例を示す文書である。図５は、本実施形態の検索データベースの作成段階において文書要素を抽出した一例を示す表である。また、図６は、本実施形態の検索データベースの作成段階に用いる関連値を算出するために規定する得点の例を示す表である。図７から図１１は、本実施形態の情報検索装置に用いられる検索データベースの作成段階の例を示す表である。図１２は、本実施形態の検索データベースが記憶する検索情報の一例を示す表である。
【００５０】
まず、Ｓ１１の工程において、例えば、図４に示す文書情報Ｄが収集されたことをＣＰＵ１３が認識する。
【００５１】
Ｓ１２の工程においては、抽出部１３１が、収集された文書情報Ｄに対応する文を構成する一又は複数の言葉を、当該文書情報Ｄに対応する文章要素として当該収集された文書情報から抽出する。具体的に、文書情報Ｄの第三文を例にとると、図５に示すように、文を構成する各文章要素が抽出される（図５左列）。この文章要素は、文書情報Ｄに含まれる形態素とすることができる。このとき、抽出された文章要素に対する品詞を割り当てるようにしてもよい（図５中列）。また、抽出された文章要素が分類ＤＢ１５に名称情報として記憶されている名称と同一の名称を示す文章要素であれば、同一名称要素として、分類ＤＢ１５における分類を表してもよい（図５右列）。
【００５２】
なお、文書情報Ｄから文章要素を抽出する際には、複数の単語として区切れるものであっても、分類ＤＢ１５に記憶された名称情報と同じ名称であれば、当該名称と同じ長さで、一の文章要素として認識するように設定することが好ましい。一文となっている楽曲名や複数の単語からなるアーティスト名等も存在するためである。
【００５３】
また、品詞として、例えば、図５中列に示されているように、名詞、記号、未知語等に該当する文章要素を抽出することができる。また、図５には示されていないが、品詞として、楽曲のイメージを示すような、明るい、静かな、等の形容詞、形容動詞、動詞等に該当する文章要素を抽出することもできる。なお、助詞、助動詞、接続詞、感動詞等の分類に関連しない品詞に該当する文章要素については、Ｓ１２の工程においては、抽出しないことも可能である。
【００５４】
次いで、Ｓ１３の工程においては、分類ＤＢ１５に名称情報として記憶されている名称と同一の名称を示す文章要素である同一名称要素と、当該同一名称要素以外の他の文章要素と、の関連性を示す関連値を算出する。ここでは、一例として、アーティスト名である「ＡＡ○」が分類ＤＢ１５に名称情報として記憶されている名称であり、これと同一の名称を示す文書情報Ｄの文章要素であるため、これを同一名称要素として説明する（図７から図１２まで）。実際には、分類ＤＢ１５に名称情報として記憶されている名称と同一の名称を示し、文書情報Ｄに含まれる文章要素（例えば、アーティスト名；ザ・××Ｂ、楽曲名；ザ・××Ｂ１等）は、全て同一名称要素となり、いずれの同一名称要素についても後述する処理が行われる。
【００５５】
まず、同一名称要素と、これ以外の他の文章要素について、例えば、図６に示すように、それぞれの文章中の位置関係に応じて関連値を算出する得点を決める。図６によると、同一名称要素と他の文章要素が、（１）読点（、）で区切られた内側にある等、係り受けの関係にある場合には１０点、（２）その間が一の読点で区切られており、隣の文節内である場合には７点、（３）その間が二の読点で区切られており、間に一文節以上有するが、同文内である場合には５点、（４）その間が一以上の句点で区切られており、同段落内または隣の段落である場合には５点、（５）その間に一の段落を有している場合には３点、（６）その間に二の段落を有している場合には２点、（７）その間に三の段落を有している場合には１点とする。このように、関連値を算出するための得点を適宜設定することができる。また、例えば、ユーザが特定した文書情報の得点を他よりも大きく設定し、当該文書情報に含まれる文章要素間の関連値を高くすることも可能である。
【００５６】
仮に、図６に示す得点に従い、同一名称要素「ＡＡ○」について、文書情報Ｄの第一文に含まれる、一番目の「ＡＡ○」を基準に関連値を算出していく。
【００５７】
文書情報Ｄの第一文について、図６に示す得点を基準に関連値を算出すると、図７に示すようになる。
【００５８】
次いで、文書情報Ｄの第二文および第三文について、関連値を算出すると、第一文の関連値に、第二文および第三文の得点が加算され、また、「音楽」以下の新たな他の文章要素が加わり、図８に示す関連値が得られる。
【００５９】
具体的には、新たな関連値（５）によって関連性が示されている同一名称要素（ＡＡ○）および他の文章要素（協会Ｅ）は、検索情報として検索ＤＢ１４に記憶されているため、記憶されている当該同一名称要素（ＡＡ○）および当該他の文章要素（協会Ｅ）の関連値（７）に新たな関連値（５）を加算して検索ＤＢ１４における関連値を１２に更新する。なお、図８における他の文章要素（協会Ｅ）は、二文および三文の文章要素まで用いて関連値が１７に更新されている。
【００６０】
また、新たな関連値（５）によって関連性が示されている同一名称要素（ＡＡ○）および他の文章要素（音楽）は、検索情報として検索ＤＢ１４に記憶されていないため、当該同一名称要素（ＡＡ○）と、当該他の文章要素（音楽）と、新たな関連値（５）と、を、新たな検索情報として検索ＤＢ１４が記憶する。
【００６１】
次いで、文書情報Ｄの第四文について、関連値を算出すると、第三文までの関連値に、第四文の得点が加算され、また、「演奏」以下の新たな他の文章要素が加わり、図９に示す関連値が得られる。そして、同様に、同一名称要素について、新たな他の文章要素、新たな関連値が検索情報として検索ＤＢ１４に記憶される。
【００６２】
次いで、同一名称要素「ＡＡ○」について、文書情報Ｄの第三文に含まれる、二番目、三番目の「ＡＡ○」を基準に関連値を算出していく。算出方法は上述の一番目の「ＡＡ○」と同様であり、図１０に前半の文章要素、図１１に後半の文章要素についての関連値を示す。なお、図８から図１２において、加算され、更新された関連値は、各図面中に太文字で表している。
【００６３】
こうして同一名称要素「ＡＡ○」に対する他の文章要素について得られた関連値は、関連性を示す値、具体的には、関連性の高さを示す値となる。具体的には、図１２に示す関連値が、一番目から三番目の「ＡＡ○」について算出した関連値の合計である。文書情報Ｄにおける他の同一名称要素についても、上述の処理が繰り返されて、関連値が算出される。
【００６４】
次いで、Ｓ１４の工程においては、同一名称要素と、他の文章要素と、関連値と、を、同一の名称に関連する情報を上述の楽曲分野において検索する際の検索情報として、検索ＤＢ１４に記憶させる。
【００６５】
このとき、まず、図７に示す同一名称要素、他の文章要素、関連値が検索情報として検索ＤＢ１４に記憶される。そして、図８から図１２に示すように、同一名称要素について、新たな他の文章要素、新たな関連値が検索情報として検索ＤＢ１４に順次記憶される。
【００６６】
このとき、他の文章要素が、分類ＤＢ１５の名称情報に対応する名称である場合には、図１２に示すように、同一名称要素および他の文章要素について、分類ＤＢ１５による分類を対応させて記憶させることができる。
【００６７】
また、検索ＤＢ１４には、図１２に示すように、上述の各情報に併せて、各情報（関連値）が更新された時刻を示す更新時刻情報を記憶させることができる。情報の更新時刻を併せて記憶することにより、古い情報を削除することが可能となり、また、後述するように、更新された時刻を基準として、検索情報の一部を検索することも可能となる。
【００６８】
以上より、一連の検索ＤＢ１４の作成工程が終了する。
【００６９】
ここで、他の新たな文書情報を逐次収集することにより、検索情報を逐次更新することができる。また、検索ＤＢ１４の関連値が、予め設定された期間、例えば、一ヶ月を経過する間に変更されない場合には、当該変更されない関連値を有する他の文章要素を検索ＤＢ１４から削除することとしてもよい。新たな文書情報から逐次検索ＤＢ１４を更新していくにも関わらず、所定の期間を経過しても関連値が変更されないということは、関連が低いものとみなすことができるためである。上述の予め設定された期間は、特に限定されず、関連値が更新される程度等を考慮して、適宜設定することができる。なお、関連値が変更されていても、関連値が予め設定された値よりも低い場合にも、関連が低いとみなして、当該他の文書要素を検索ＤＢ１４から削除することとしてもよい。
【００７０】
本実施形態の検索ＤＢ作成装置Ｍの変形形態として、画像および音声等から情報を収集し、関連値を算出したものであってもよい。
【００７１】
具体的に、収集手段としての入力部１１は、さらに、画像情報を収集し、抽出手段としての抽出部１３１は、さらに、収集された画像情報に対応する画像を構成する一又は複数のものの名称を、当該画像情報に対応する文章要素として当該収集された画像情報から抽出する。この後の算出部１３２を含むＣＰＵ１３の処理は、上述の検索ＤＢ作成装置Ｍにおけるものと同様である。
【００７２】
例えば、画像として、アーティストが演奏をしている場面を撮った写真や映像を用いる場合には、出演しているアーティスト名、演奏曲の題名、演奏に用いられている楽器名等を抽出し、それぞれの関連性の高さの値を決めておき、検索ＤＢ１４に含まれる関連値に加算することが可能である。
【００７３】
また、具体的に、収集手段としての入力部１１は、さらに、音声情報を収集し、抽出手段としての抽出部１３１は、さらに、収集された前記音声情報に対応する音声を文書化した文を構成する一又は複数の言葉を、当該音声情報に対応する文章要素として当該収集された音声情報から抽出する。この後の算出部１３２を含むＣＰＵ１３の処理は、上述の検索ＤＢ作成装置Ｍにおけるものと同様である。
【００７４】
例えば、音声として、音楽のテレビ放送番組の音声やインタビューの音声を用いる場合には、音声認識ソフト等で当該音声を文書化し、この文書を上述の文書情報と同様に用いて、検索ＤＢ１４に含まれる関連値に加算することが可能である。
【００７５】
本実施形態の検索ＤＢ作成装置Ｍにおいては、作成された検索ＤＢが当該装置Ｍ内に含まれるようにしたが、作成された検索ＤＢは、出力部１２により検索情報が外部に出力されて、検索ＤＢ作成装置Ｍの外部に有することとしてもよい。
【００７６】
同様に、本実施形態の検索ＤＢ作成装置Ｍにおいては、用いられる分類ＤＢ１５が当該装置Ｍ内に含まれるようにしたが、分類ＤＢは、入力部１１により名称情報が当該装置Ｍの外部から入力されて、または、参照できるようにし、検索ＤＢ作成装置Ｍの外部に有することとしてもよい。
【００７７】
以上説明したように、本実施形態の検索データベース作成装置Ｍは、文書情報Ｄを収集する入力部１１と、収集された文書情報Ｄに対応する文を構成する一又は複数の言葉を、当該文書情報に対応する文章要素として当該収集された文書情報Ｄから抽出する抽出部１３１と、予め設定された楽曲の分野における一または複数の分類に属するものの名称を示す名称情報を記憶する分類ＤＢ１５と、記憶されている名称情報に対応する名称と同一の名称を示す文章要素である同一名称要素と、当該同一名称要素以外の他の文章要素と、の関連性を示す関連値を算出する算出部１３２と、同一名称要素と、他の文章要素と、関連値と、を、同一の名称に関連する情報を楽曲の分野において検索する際の検索情報として記憶する検索ＤＢ１４と、算出された関連値に基づいて、検索ＤＢ１４に記憶されている情報を制御する記憶制御部１３３と、を備えることを特徴とする。
【００７８】
よって、検索ＤＢ１４を作成する際に収集する文書情報を増やすことにより、より大きな情報が記憶された情報検索用の検索ＤＢが得られる。作成された検索ＤＢ１４は、楽曲に関する各種データが関連性を有することおよびそうした関連性の高さの情報を有している。この検索ＤＢ１４を用いることにより、後述する情報検索装置Ｑは、ユーザに対し、検索したい情報に加えて当該検索したい情報に関連する情報を提供できるとともに、関連する情報同士の関連性の高さをユーザが認識できるように提供することが可能となる。
【００７９】
本実施形態の検索データベース作成装置Ｍにおいては、算出部１３２によって新たな関連値が算出された場合に、記憶制御部１３３は、新たな関連値によって関連性が示されている同一名称要素および他の文章要素と、検索情報と、に基づいて検索ＤＢ１４に記憶させる情報を制御する。
【００８０】
具体的には、検索データベース作成装置Ｍにおいて、新たな関連値によって関連性が示されている同一名称要素および他の文章要素が検索情報として検索ＤＢ１４に記憶されている場合に、記憶制御部１３３は、記憶されている当該同一名称要素および当該他の文章要素の関連値に前記新たな関連値を加算して検索ＤＢ１４に記憶させる。また、検索データベース作成装置Ｍにおいて、新たな関連値によって関連性が示されている同一名称要素および他の文章要素が検索情報として検索ＤＢ１４に記憶されていない場合に、記憶制御部１３３は、当該同一名称要素と、当該他の文章要素と、新たな関連値と、を、新たな検索情報として検索ＤＢ１４に記憶させる。
【００８１】
よって、検索ＤＢ１４を作成するために、新たな文書情報を用いることにより、検索ＤＢ１４によって、検索時の流行に合った最新の情報に基づいて、入力した言葉に対する関連性の高い情報を提供することができることとなる。例えば、新しい楽曲が売り出される際には、収集する文書情報において当該新しい楽曲とそのアーティストについての記事が多くなり、当該アーティストを同一名称要素、当該新しい楽曲を他の文書要素とした場合に、新しい楽曲の関連値が大きくなり、関連性の高い情報として提供されることとなる。なお、上述の実施形態においては、文書情報Ｄにおいて、新たな一文を新たな文書情報として説明したが、これに限定されず、もちろん、さらに他の文章情報を用いることができる。
【００８２】
また、上述の本実施形態の検索データベース作成装置Ｍにおいては、検索ＤＢ１４が記憶する関連値が、予め設定された期間を経過する間に加算されない場合には、算出部１３２は、当該関連値を有する他の文章要素を検索情報から削除する。
【００８３】
よって、新たな文書情報Ｄにより、他の文章要素の情報が増加していった場合に、予め設定された期間を経過しても関連高さの値が変更されず、関連性の低い他の文章要素の情報を削除していくため、不要なデータが削除され、検索ＤＢ１４に記憶される情報の容量を軽くすることができる。
【００８４】
本実施形態の検索データベース作成装置Ｍにおいては、入力部１１は、さらに、画像情報を収集し、抽出部１３１は、さらに、収集された画像情報に対応する画像を構成する一又は複数のものの名称を、当該画像情報に対応する文章要素として当該収集された画像情報から抽出する。
【００８５】
また、本実施形態の検索データベース作成装置Ｍにおいては、入力部１１は、さらに、音声情報を収集し、抽出部１３１は、さらに、収集された音声情報に対応する音声を文書化した文を構成する一又は複数の言葉を、当該音声情報に対応する文章要素として当該収集された音声情報から抽出する。
【００８６】
よって、文書情報のみならず、画像情報や音声情報を収集し、これらの情報を元に検索ＤＢ１４を作成できるので、より広い範囲で各名称間の関連値を算出できる。そのため、ユーザにとって、入力した言葉に対してより広い範囲での関連性の高い情報を得ることができ、作成された検索ＤＢ１４の利便性はより向上したものとなる。
【００８７】
以上説明したように、本実施形態の検索情報記憶手段または情報検索用記録媒体としての検索ＤＢ１４は、同一名称要素と、他の文章要素と、関連値と、を、同一の名称に関連する情報を楽曲の分野において検索する際の検索情報として記録されていることを特徴とする。
【００８８】
よって、検索ＤＢ１４は、楽曲に関する各文章要素が互いに関連性を有すること、および、そうした関連性の高さの情報を有している。この検索ＤＢ１４を用いることにより、後述する情報検索装置Ｑは、ユーザに対し、検索したい情報に加えて当該検索したい情報に関連する情報を提供できるとともに、関連する情報同士の関連性の高さをユーザが認識できるように提供することが可能となる。
【００８９】
以上説明したように、本実施形態の名称記憶手段または名称情報記録媒体としての分類ＤＢ１５は、上述の検索データベース作成装置Ｍに用いられる分類ＤＢ１５であって、予め設定された楽曲の分野における一または複数の分類に属するものの名称を示す名称情報が記録されたことを特徴とする。
【００９０】
よって、この分類ＤＢ１５は、特定の分野、本実施形態においては楽曲の分野における一または複数の分類に属するものの名称を示す名称情報を記録しているため、この名称情報を利用して、検索ＤＢ１４を作成することが可能となる。そして、作成された検索ＤＢ１４は、当該特定の分野の検索に好ましく用いられることとなる。
【００９１】
また、上述の本実施形態の分類ＤＢ１５において、予め設定された分野が楽曲の分野である場合に、名称情報は、楽曲を演奏または歌唱するアーティストの名称、楽曲が記録されたアルバムの名称、楽曲が記録されたシングルの名称、楽曲の題名、楽器の名称、楽器の製造者の名称、作詞者の名称、作曲者の名称、編曲者の名称、楽曲が実演された場所の名称、若しくは楽曲が録音された場所の名称またはこれらの略称若しくは別称の少なくともいずれか一つを含む情報であることを特徴とする。
【００９２】
よって、分類ＤＢ１５が具体的にこのような名称からなるため、適切に、楽曲の分野の検索に用いられる検索ＤＢ１４を作成することが可能となる。なお、分類ＤＢ１５に記憶されるこれらの情報は、新たな楽曲が売り出されることにより、逐次増えていくため、情報を更新できるようにすることが好ましい。
【００９３】
（２）情報検索装置
本実施形態の情報検索装置Ｑの構成について、図１３を参照して説明する。なお、図１３は、本実施形態の情報検索装置の概要構成を示すブロック図である。
【００９４】
本実施形態に係る情報検索装置Ｑは、検索入力部２１と、検索出力部２２と、検索用ＣＰＵ２３と、検索ＤＢ２４と、検索記憶部２５と、により構成されている。
【００９５】
なお、例えば、検索入力部２１は本願の入力手段として機能し、検索出力部２２は、本願の出力手段として機能する。また、例えば、検索用ＣＰＵ２３は、本願の第一選択手段、第二選択手段、として機能する。また、検索ＤＢ２４は、上述の検索ＤＢ作成装置Ｍにおける検索ＤＢ１４と同様の機能を有する。
【００９６】
まず、情報検索装置Ｑにおける検索入力部２１は、ユーザが検索される前記予め設定された分野の言葉を入力するために用いられる。検索入力部２１はまた、後述する出力部２２により表示された後述する入力語または関連語を、さらに選択するために用いられる。
【００９７】
検索入力部２１としては、具体的に、キーボード、マウス、タッチパネル、ボタン、マイク等が用いられる。なお、タッチパネルは、後述する検索出力部２２としてのディスプレイに表示されていてもよい。また、マイクから音声が入力された場合には、検索用ＣＰＵ２３において、文書に解析されて入力されたワードが認識されてもよい。
【００９８】
また、検索用ＣＰＵ２３は、検索入力部２１において言葉が入力されると、入力された言葉を認識する。検索用ＣＰＵ２３は、入力部２１により入力された言葉を含む前記同一名称要素または前記他の文章要素を前記検索情報から入力語として選択する。また、検索用ＣＰＵ２３は、入力語に対する関連値が高い順に、前記同一名称要素または前記他の文章要素を前記検索情報から関連語として選択する。そして、検索用ＣＰＵ２３は、このように選択された入力語と関連語とを、対応付けて検索出力部２２に表示させる。
【００９９】
さらに、検索用ＣＰＵ２３は、検索入力部２１により選択された入力語または関連語が、楽曲の題名である場合には、検索出力部２２に、選択された楽曲の題名に対応する楽曲を再生させる。この再生させる楽曲の情報は、検索記憶部２５に格納されている場合には、検索用ＣＰＵ２３は、検索記憶部２５から当該楽曲の情報を取得するとともに、検索出力部２２に再生させる。また、再生させる楽曲の情報が、検索記憶部２５に格納されておらず、他の装置または媒体に記録されている場合には、検索用ＣＰＵ２３は、当該装置または当該媒体から当該楽曲の情報を取得するとともに、検索出力部２２に再生させる。
【０１００】
さらにまた、検索用ＣＰＵ２３は、検索入力部２１により選択された関連語が、楽曲の題名でない場合には、検索入力部２１により選択された関連語を入力語として扱い、上述のように、選択された入力語と関連語とを、対応付けて検索出力部２２に表示させる。
【０１０１】
また、検索用ＣＰＵ２３は、検索ＤＢ２４に含まれる入力語と関連語との関連値に基づいて、検索出力部２２に、選択された入力語と関連語とを、関連語同士の関連値の比に対応付けて表示させる。具体的には、検索用ＣＰＵ２３は、検索出力部２２に、入力語の周囲に関連語を配置した画面により表示させる。このとき、検索出力部２２は、ＧＵＩ（グラフィカルユーザインターフェイス）画面により、上述の画面を表示させてもよい。
【０１０２】
検索ＤＢ２４は、上述の検索ＤＢ作成装置Ｍにより作成される検索ＤＢである。本実施形態は、検索ＤＢ２４が上述のように作成された図１２に示す検索情報を記憶しているとして、説明する。
【０１０３】
検索ＤＢ２４は、検索入力部２１により入力された言葉を含む同一名称要素または他の文章要素を、記憶している検索情報から入力語として選択される。通常、入力語としては、まず入力した語を含む語が同一名称要素から選択され、当該入力した語を含む語が同一名称要素に含まれない場合に、他の文章要素から選択される。
【０１０４】
また、検索ＤＢ２４は、入力語に対する関連値が高い順に、同一名称要素または他の文章要素を、記憶している検索情報から関連語として選択される。通常、入力語が同一名称要素から選択された場合には、関連語は当該同一名称要素に対応する他の文章要素から関連値の高い順に選択される。逆に、入力語が他の文章要素から選択された場合には、関連語は、当該他の文章要素に対応する同一名称要素およびさらに他の文章要素から選択されることとなる。なお、当該検索情報において、同一名称要素に該当する文章要素（例えば、「ＡＡ○」）は、関連する他の同一名称要素（例えば、「ザ・××Ｂ」）に対する他の文章要素となっている。
【０１０５】
検索記憶部２５は、楽曲の情報を記憶する他、情報検索装置Ｑにおいて必要な各種情報、例えば、検索結果の情報などを格納するために用いられる。
【０１０６】
検索出力部２２は、検索用ＣＰＵ２３から送信される入力語と関連語との情報を、対応付けて表示する。検索出力部２２は、例えば、検索ＤＢ２４に含まれる入力語と関連語との関連値に基づいて、選択された入力語と関連語とを、関連語同士の関連値の比に応じて対応付けて表示する。具体的には、検索出力部２２は、入力語の表示の周囲に関連語の表示を配置した画面を表示する。この検索結果の表示方式については、後述する。
【０１０７】
検索出力部２２としては、具体的に、画像を表示するディスプレイ、音声を発するスピーカ等が用いられ、本願においては、主としてディスプレイに検索結果が表示されることになる。
【０１０８】
次いで、情報検索装置Ｑが行う処理について、図１４から図１７を参照して説明する。なお、図１４は、本実施形態の情報検索装置において、楽曲情報を検索する方法を示す流れ図である。図１５から図１７は、本実施形態の情報検索装置における検索結果の表示の例である。
【０１０９】
情報検索装置Ｑは、ユーザが検索入力部２１を用いて検索したいデータを入力すると、以下のように処理を行い、検索結果を検索出力部２２から出力する。
【０１１０】
図１４に示すように、処理が開始されると（スタート）、検索用ＣＰＵ２３は、検索入力部２１に、検索される予め設定された楽曲の分野の言葉が入力されたことを認識する（ステップＳ２１）。次いで、検索用ＣＰＵ２３は、Ｓ２１において入力された言葉を含む同一名称要素または他の文章要素を検索ＤＢ２４の検索情報から入力語として選択し（ステップＳ２２）、さらに、入力語に対する関連値が高い順に、同一名称要素または他の文章要素を検索情報から関連語として選択する（ステップＳ２３）。次いで、検索用ＣＰＵ２３は、選択された入力語と関連語とを、対応付けて検索出力部２２に表示させて（ステップＳ２４）、一連の処理が終了する（エンド）。
【０１１１】
具体的には、ユーザが検索入力部２１から「ＡＡ○」と入力すると、検索用ＣＰＵ２３は、これを認識して（Ｓ２１）、「ＡＡ○」を含む同一名称要素「ＡＡ○」を図１２に示す検索ＤＢ２４に記憶された検索情報から入力語として選択する（Ｓ２２）。なお、ユーザが「ＡＡ」と入力した場合にも、検索用ＣＰＵ２３は、「ＡＡ」を含む同一名称要素「ＡＡ○」を検索ＤＢ２４に記憶された検索情報から入力語として選択する（Ｓ２２）。
【０１１２】
次いで、検索用ＣＰＵ２３は、同一名称要素「ＡＡ○」に対して関連値が高い順に、図１２に示す他の文章要素から、「作曲家」、「作詞家」、「曲」、「協会Ｅ」、「ザ・××Ｂ」、「Ａ賞」、「協会Ｅ Music Awords」、「Ｄ国」、「ソング・ライター」、「ヒット」…その他を関連語として関連値の大きい順に選択する（Ｓ２３）。
【０１１３】
次いで、例えば、図１５（ａ）に示すように、入力語としての「ＡＡ○」を表示し、関連語としての「ザ・××Ｂ」等を入力語および関連語の関連性がわかるよう、各語の表示を線で結んだ画面を検索出力部２２に表示させる（Ｓ２４）。このとき、検索用ＣＰＵ２３が検索出力部２２に表示させるものとして、図１５（ａ）に示すように、分類ＤＢ１５に記憶されたアーティストの名称、楽曲の名称等の情報のみを表示させてもよいし、後述する図１６（ｃ）に示すように、単に関連値が高い順に他の文章要素を表示させてもよい。この検索出力部２２における検索結果の表示方式については、後述する。
【０１１４】
また、検索結果について、検索入力部２１により入力語または関連語が選択され、選択された入力語または関連語が楽曲の題名であると検索用ＣＰＵ２３が認識した場合には、検索用ＣＰＵ２３は、検索出力部２２に、選択された楽曲の題名に対応する楽曲を再生させる。具体的に、図１５（ａ）に示す検索結果の中で、ユーザが検索入力部２１を用いて関連語である「ＡＡ○２」を選択した場合には、検索用ＣＰＵ２３は、選択された関連語「ＡＡ○２」が楽曲の題名であることを認識し、検索出力部２２に含まれるスピーカに、「ＡＡ○２」の楽曲を再生させる。
【０１１５】
さらに、検索結果について、検索入力部２１により関連語が選択され、選択された関連語が楽曲の題名でないと検索用ＣＰＵ２３が認識した場合には、検索用ＣＰＵ２３は、検索入力部２１により選択された関連語を入力語として扱い、上述のＳ２２からＳ２４の工程が行われる。
【０１１６】
具体的に、図１５（ａ）に示す検索結果において、ユーザが検索入力部２１を用いて関連語である「ザ・××Ｂ」を選択した場合には、検索用ＣＰＵ２３は、選択された関連語が楽曲の題名でないことを認識し、選択された関連語「ザ・××Ｂ」を入力語として扱って、Ｓ２２からＳ２４の工程を行う。そして、検索用ＣＰＵ２３は、図１５（ｂ）に示すように「ザ・××Ｂ」を入力語とし、「ザ・××Ｂ１」、「△ＣＣ」、「ＡＡ○」等関連語とした画面を、検索出力部２２に表示させる（矢印１参照）。一方、図１５（ｂ）に示す検索結果において、ユーザが検索入力部２１を用いて関連語である「ＡＡ○」を選択した場合には、検索用ＣＰＵ２３は、同様の処理を行い、図１５（ａ）に示すように「ＡＡ○」を入力語とした画面を、検索出力部２２に表示させる（矢印２参照）。
【０１１７】
また、他の例として、図１６（ａ）の検索結果において、ユーザが検索入力部２１を用いて関連語である「アンプＰ」を選択した場合には、検索用ＣＰＵ２３は、同様の処理を行い、図１６（ｂ）に示すように「アンプＰ」を入力語とした画面を、検索出力部２２に表示させる（矢印３参照）。一方、図１６（ｂ）の検索結果において、ユーザが検索入力部２１を用いて関連語である「ＡＡ○」を選択した場合には、検索用ＣＰＵ２３は、同様の処理を行い、図１６（ｂ）に示すように「ＡＡ○」を入力語とした画面を、検索出力部２２に表示させる（矢印４参照）。
【０１１８】
ここで、上述の情報検索装置Ｑを用いて楽曲情報の検索が行われ、その検索結果を表示する方式について、図１５および図１６を参照して説明する。なお、検索結果の表示方式の概略は、上述したとおりである。
【０１１９】
原則として、情報検索装置Ｑの検索出力部２２は、図１５（ａ）、図１５（ｂ）、図１６（ａ）、図１６（ｂ）および図１６（ｃ）に示すように、検索結果として、入力語と関連語とを対応付けて表示する。なお、図１５（ａ）、図１６（ａ）および図１６（ｃ）においては、入力語が「ＡＡ○」であり、図１５（ｂ）においては、入力語が「ザ・××Ｂ」であり、図１６（ｂ）においては、入力語が「アンプＰ」である。
【０１２０】
このとき、情報検索装置Ｑが検索結果を表示するには、図１５（ａ）、図１５（ｂ）、図１６（ａ）に示すように、入力語の周囲に関連語が配置されるように表示することができる。また、図１６（ｂ）、図１６（ｃ）に示すように、入力語の表示に対して、樹形図の形式で関連語を表示することもできる。
【０１２１】
また、情報検索装置Ｑが検索結果を表示するには、図１５（ａ）、図１５（ｂ）、図１６（ｃ）に示すように、入力語の表示と関連語の表示とを直接線で結んで表示することができる。また、図１６（ａ）、図１６（ｂ）に示すように、入力語の表示に対し、楽器名、曲名、アルバム名、場所の名称、アーティスト名等の、上述した分類ＤＢに記憶される分類を付して関連語を表示してもよい。
【０１２２】
具体的には、図１５（ａ）に示すように、情報検索装置Ｑの検索出力部２２は、検索ＤＢ２４に含まれる入力語「ＡＡ○」と関連語「ザ・××Ｂ」、「ＡＡ○１」、「ＡＡ○２」、「ＡＡ○３」、「ザ・××Ｂ１」、「ザ・××Ｂ２」、「ザ・××Ｂ３」、「△ＣＣ」との関連値に基づいて、選択された入力語と関連語とを、関連語同士の関連値の比に対応付けて表示する。すなわち、図１５（ａ）においては、入力語と関連語との関連値が高い程、入力語と関連語とが近い位置に表示され、関連値が低くなるにつれて、入力語と関連語とが遠い位置に表示されることとなる。図１５（ｂ）においても、同様に検索結果が表示されている。
【０１２３】
関連値の比に対応付けて表示するには、図１６（ｃ）に示すように、入力語「ＡＡ○」に対し、関連語「作曲家」に「６０」を付し、関連語「作詞家」に「５８」を付すなど、各関連語について、図１２に示した関連値を表示してもよい。また、図示しないが、関連値の比に対応付けて表示するには、入力語の表示と関連語の表示とを結ぶ線の太さを、関連値が高い場合に線を太く、関連値が低くなるにつれて線を細く表示するようにしてもよい。
【０１２４】
また、図１５（ａ）に示すように、検索出力部２２は、入力語の表示の周囲に関連語の表示を配置して画面を表示することとしてもよい。入力語の表示は、画面の中心に配置してもよい。このとき、例えば、図１５（ａ）および図１５（ｂ）に示すように、入力語または関連語がアーティスト名であれば円で表示し、入力語または関連語が楽曲名であれば楕円で表示するなどにより、分類ＤＢに記憶される分類を視覚的に明確にすると、ユーザは検索結果を認識しやすくなる。
【０１２５】
なお、図１６（ａ）および図１６（ｂ）に示すように、入力語を中心に表示した画面（図１６（ａ））と、樹形図の画面（図１６（ｂ））とを相互に変換して表示できるようにしてもよい。また、図１５（ａ）および図１６（ａ）に示すように、入力語と関連語を直接線で結んで表示した画面（図１５（ａ））と、曲名等の分類を付して関連語を表示した画面（図１６（ａ））とを相互に変換して表示できるようにしてもよい。
【０１２６】
また、通常、図１６（ａ）に示す検索結果の表示に対し、図１７に示すように、情報の更新時刻により検索結果を選択して表示することが可能である。具体的に、ユーザが情報の更新時刻のとして所定の期間（例えば、2004/07/01〜2004/12/31）を設定し、その間に関連値が更新された関連語の情報のみを図１７のように表示することができる。他に、情報検索装置Ｑにおいて設定されている期間（例えば、一年前〜現在時刻）に関連値が更新された関連語の情報のみを表示することができる。このように、検索ＤＢ１４の検索情報に、関連値が更新された時刻を示す更新時刻情報が含まれている場合には、入力語と、更新時刻情報が予め設定された範囲内である関連語と、を表示することができる。
【０１２７】
ここで、本実施形態の情報検索装置Ｑにおいては、検索ＤＢ２４が当該装置Ｑ内に含まれるようにしたが、検索ＤＢは、情報検索装置Ｑの外部に有しており、検索用ＣＰＵ２３が検索時に検索ＤＢを参照できるようにしてもよい。
【０１２８】
同様に、本実施形態の情報検索装置Ｑにおいては、分類ＤＢが当該装置Ｑ内に含まれていないが、情報検索装置Ｑと上述の検索ＤＢ作成装置Ｍとが一体になったものであり、分類ＤＢが、情報検索装置Ｑ内に含まれていてもよい。
【０１２９】
また、本実施形態の情報検索装置Ｑにおいては、検索結果に含まれる楽曲の題名に対応した楽曲を再生できることとしたが、入力した言葉に関連する言葉を検索結果として提供することができれば、この楽曲再生機能を有していなくてもよい。
【０１３０】
一方、本実施形態の情報検索装置Ｑは、一般に情報の検索が必要な装置に適用することができる。具体的に、本実施形態の情報検索装置Ｑは、ＨＤＤ（Hard Disk drive）オーディオ、ＨＤＤビデオプレーヤー、ロボット等に適用してもよい。
【０１３１】
本実施形態の情報検索装置Ｑにおいては、ユーザが検索入力部２１を用いて入力語や関連語を選択することにより、当該関連語が文章要素として含まれていた文書情報等を参照できるようになっていてもよい。
【０１３２】
本実施形態の情報検索装置Ｑにおいては、検索入力部２１および検索出力部２２は、それぞれ一箇所ではなく、複数の箇所に設けられていてもよい。また、検索入力部２１および検索出力部２２は、例えばＧＵＩ画面を表示するとともにタッチパネルになっており、入出力部として機能してもよい。
【０１３３】
以上説明したように、本実施形態の情報検索装置Ｑは、上述の検索データベース作成装置Ｍにより作成された検索情報が記憶されている検索ＤＢ２４を用いて、予め設定された楽曲分野の入力された言葉に関連する情報を検索するための情報検索装置Ｑであって、検索される予め設定された楽曲分野の言葉を入力するための検索入力部２１と、検索入力部２１により入力された言葉を含む同一名称要素または他の文章要素を検索情報から入力語として選択する検索用ＣＰＵ２３と、入力語に対する関連値が高い順に、同一名称要素または他の文章要素を検索情報から関連語として選択する検索用ＣＰＵ２３と、検索用ＣＰＵ２３により選択された入力語と関連語とを、対応付けて表示する検索出力部２２と、を有することを特徴とする。
【０１３４】
よって、情報検索装置Ｑのユーザは、検索するために入力した言葉と関連性の高い関連語の情報を取得することができる。また、入力語に対する関連値が高い順に関連語が選択されることにより、ユーザは、関連語の関連性の高さについても情報を取得することができる。そのため、当該装置Ｑは、ユーザにとって利便性が向上したものである。
【０１３５】
また、検索ＤＢ２４を作成するの際に様々な文書情報を収集することにより、おおよそ正しく、文章要素間の緩やかな意味での関連性がわかるよう、検索ＤＢ２４に検索情報が記憶されている。そのため、情報検索装置Ｑのユーザは、単に必要な情報を調べられるだけでなく、ユーザが入力する言葉に対して新たな情報得られるとともに、ときには思いがけない情報が得られ、こうした情報を探す面白さがある。
【０１３６】
また、検索ＤＢ２４は楽曲のみの分野に限定した情報を記憶しているため、ユーザが言葉を入力したときに、楽曲のみの分野の種々の情報が得られ、情報検索装置Ｑのユーザは楽曲を目的とした検索がしやすくなる。その他、検索情報の他の文章要素に形容詞等が含まれていれば、ユーザが「明るい」曲、「静かな」曲などを所望する場合に、「明るい」、「静かな」等の言葉を入力し、このような曲調の楽曲を検索することも可能となる。
【０１３７】
本実施形態の情報検索装置Ｑにおいて、検索入力部２１は、さらに、検索出力部２２により表示された入力語または関連語を選択するために用いられるとともに、検索入力部２１により選択された入力語または関連語が、楽曲の題名である場合には、検索出力部２２は、さらに、選択された楽曲の題名に対応する楽曲を再生する。
【０１３８】
よって、当該装置Ｑのユーザは、楽曲に関する情報を検索できる他、検索された楽曲を再生することにより、当該楽曲を聴くことが可能となる。このように、当該装置Ｑは、より利便性に優れたものとなる。
【０１３９】
本実施形態の情報検索装置Ｑにおいて、検索入力部２１は、さらに、検索出力部２２により表示された関連語を選択するために用いられるとともに、検索入力部２１により選択された関連語が、楽曲の題名でない場合には、検索用ＣＰＵ２３は、さらに、検索入力部２１により選択された関連語を入力語として扱う。
【０１４０】
よって、関連語についても、上述の先に入力した言葉と同様に検索することができ、当該装置Ｑのユーザが、興味のある関連語について、さらに関連性の高い情報を取得することが可能となり、当該装置Ｑは、利便性に優れたものとなる。
【０１４１】
本実施形態の情報検索装置Ｑにおいて、検索出力部２２は、検索ＤＢ２４に含まれる入力語と関連語との関連値に基づいて、選択された入力語と関連語とを、関連語同士の関連値の比に対応付けて表示する。
【０１４２】
よって、当該装置Ｑのユーザは、入力語と関連語の関連高さの比を認識することができ、検索した言葉に対して、より関連する情報を得ることができ、また、興味がある場合には、関連性の低い情報を得ることもできる。
【０１４３】
本実施形態の情報検索装置Ｑにおいて、検索出力部２２は、入力語の表示の周囲に関連語の表示を配置した画面を表示する。
【０１４４】
よって、入力語の表示の周囲に関連語の表示が配置されるため、当該装置Ｑのユーザは、周囲に配置された関連語の情報を見やすくなる。また、入力語や関連語がＧＵＩ画面により表示された場合には、上述のようにユーザが入力語や関連語をさらに選択する場合の利便性に優れたものとなる。
【０１４５】
本実施形態の情報検索装置Ｑにおいて、検索ＤＢ１４の検索情報に関連値が更新された時刻を示す更新時刻情報が含まれている場合には、検索出力部２２は、入力語と、更新時刻情報が予め設定された範囲内である関連語と、を表示する。
【０１４６】
よって、設定された範囲の時期における流行に合わせた関連語を検索結果として得ることが可能である。なお、この時期の範囲の設定の仕方は、特に限定されず、ユーザによって範囲を設定することも可能であり、装置Ｑにおいて範囲を設定することも可能である。
【０１４７】
（３）情報検索システム
次いで、本願の情報検索装置の変形形態である情報検索システムについて、図１８を参照して説明する。なお、図１８は、本実施形態の情報検索システムについての概要構成を示すブロック図である。
【０１４８】
本実施形態は、本願の情報検索システムに含まれる装置として、検索したい言葉を入力し、検索結果を出力する端末装置Ｔ１と、端末装置Ｔ１から通信ネットワークＮを介して接続される、検索結果を提供するためのサーバ装置Ｓを用いた場合の実施形態である。なお、本実施形態のサーバ装置Ｓは、上述の検索ＤＢ作成装置Ｍの機能をも有している。この情報検索システムは、上述の情報検索装置Ｑと同様に、楽曲の分野に関連する情報について、検索するものである。
【０１４９】
なお、この情報検索システムは、端末装置Ｔ１を例に説明するが、通信ネットワークＮには他の端末装置Ｔ２、Ｔ３…が複数接続されており、これらの端末装置Ｔ２、Ｔ３…もまた、端末装置Ｔ１と同様の構成であり、同様に検索したい言葉を入力し、検索結果を得ることができる。
【０１５０】
ここで、端末装置Ｔ１は、端末入力部３１と、端末出力部３２と、端末ＣＰＵ３３と、端末記憶部３４と、端末通信部３５と、により構成されている。なお、例えば、端末入力部３１は本願の入力手段として機能し、端末出力部３２は、本願の出力手段として機能する。
【０１５１】
また、サーバ装置Ｓは、サーバ通信部４１と、サーバＣＰＵ４２と、検索ＤＢ４３と、分類ＤＢ４４と、サーバ入力部４５と、サーバ記憶部４６と、により構成されている。また、これらのサーバ装置Ｓにおける各構成部分は、ＬＡＮ（local area network）４０により相互に接続されている。なお、例えば、サーバＣＰＵ４２は本願の第一選択手段、第二選択手段、として機能する。また、例えば、サーバＣＰＵ４２は、本願の抽出手段、算出手段、として機能する。また、例えば、サーバ入力部４５は、本願の収集手段として機能する。
【０１５２】
以下に、端末装置Ｔ１およびサーバ装置Ｓの具体的な構成について説明する。
【０１５３】
端末装置Ｔ１において、端末入力部３１は、上述の情報検索装置Ｑにおける検索入力部２１と同様の機能を有する。
【０１５４】
端末ＣＰＵ３３は、端末入力部３１において言葉が入力され、または入力語もしくは関連語が選択されると、この情報を認識する。端末ＣＰＵ３３は、入力され、または選択されたという情報を、端末通信部３５、通信ネットワークＮ、サーバ装置Ｓのサーバ通信部４１およびＬＡＮ４０を介し、サーバＣＰＵ４２へと送信する。
【０１５５】
また、端末ＣＰＵ３３は、入力語、関連語および関連値の情報をサーバ装置ＳのサーバＣＰＵ４２から受信する。そして、端末ＣＰＵ３３は、端末出力部３２に、入力語と関連語とを対応付けて表示させる。
【０１５６】
端末通信部３５は、端末ＣＰＵ３３から送信された情報、例えば、前述の入力された言葉の情報を、通信ネットワークＮを介してサーバ装置Ｓのサーバ通信部４１へと送信する。また、端末通信部３５は、サーバＣＰＵ４２から送信された情報、例えば、入力語、関連語および関連値の情報を、通信ネットワークＮを介してサーバ通信部４１から受信し、当該情報を端末ＣＰＵ３３へと送信する。
【０１５７】
端末出力部３２は、上述の情報検索装置Ｑにおける検索出力部２２と同様の機能を有し、端末記憶部３４は、上述の情報検索装置Ｑにおける検索記憶部２５と同様の機能を有する。
【０１５８】
一方、サーバ装置Ｓにおいて、サーバ通信部４１は、端末通信部３５から送信された情報を、通信ネットワークＮを介して受信し、サーバＣＰＵ４２へと送信する。また、サーバ通信部４１は、サーバＣＰＵ４２から送信された情報を受信し、通信ネットワークＮを介して端末通信部３５へと送信する。
【０１５９】
サーバＣＰＵ４２は、上述の情報検索装置Ｑにおける検索用ＣＰＵ２３と同様の機能を有する。サーバＣＰＵ４２は、上述の検索ＤＢ作成装置ＭにおけるＣＰＵ１３と同様の機能を有する。
【０１６０】
検索ＤＢ４３は、上述の検索ＤＢ作成装置Ｍにおける検索ＤＢ１４と同様の機能を有する。また、分類ＤＢ４４は、上述の検索ＤＢ作成装置Ｍにおける分類ＤＢ１５と同様の機能を有する。
【０１６１】
サーバ入力部４５は、上述の検索ＤＢ作成装置Ｍにおける入力部１１と同様の機能を有する。また、サーバ記憶部４６は、上述の情報検索装置Ｑにおける検索記憶部２５と同様の機能を有する。
【０１６２】
従って、本実施形態の楽曲情報検索システムのサーバ装置Ｓは、上述の検索ＤＢ作成装置Ｍと同様の処理を行い、情報検索用記録媒体としての検索ＤＢ４３を作成することができる。
【０１６３】
サーバ装置Ｓの処理は、具体的に図３に示すように、サーバＣＰＵ４２が、サーバ入力部４５によって文書情報が収集されたことを認識し（Ｓ１１）、サーバＣＰＵ４２の図示しない抽出部は、収集された文書情報に対応する文を構成する一又は複数の言葉を、当該文書情報に対応する文章要素として当該収集された文書情報から抽出する（Ｓ１２）。次いで、サーバＣＰＵ４２の図示しない算出部は、分類ＤＢ４４に名称情報として記憶されている名称と同一の名称を示す文章要素である同一名称要素と、当該同一名称要素以外の他の文章要素と、の関連性を示す関連値を算出する（Ｓ１３）。次いで、サーバＣＰＵ４２は、同一名称要素と、他の文章要素と、関連値と、を、同一の名称に関連する情報を上述の楽曲分野において検索する際の検索情報として、検索ＤＢ４３に記憶させ（Ｓ１４）、検索ＤＢ１４が作成される。
【０１６４】
また、これと並行して、本実施形態の楽曲情報検索システムのサーバ装置Ｓは、上述の情報検索装置Ｑと同様の処理を行い、端末装置Ｔ１に入力された言葉に対応する入力語および関連語の情報を検索結果として表示させることができる。
【０１６５】
サーバ装置Ｓの処理は、具体的に図１４に示すように、まず、サーバＣＰＵ４２が、端末入力部３１に検索される言葉が入力されたことを、ネットワークＮを介して認識する（Ｓ２１）。次いで、サーバＣＰＵ４２は、Ｓ２１において入力された言葉を含む同一名称要素または他の文章要素を検索ＤＢ４３の検索情報から入力語として選択し（Ｓ２２）、さらに、入力語に対する関連値が高い順に、同一名称要素または他の文章要素を検索情報から関連語として選択する（Ｓ２３）。次いで、サーバＣＰＵ４２は、選択された入力語と関連語とを、対応付けて端末出力部３２に表示させるよう、当該入力語と関連語との情報を端末装置Ｔ１へネットワークＮを介して送信させ（Ｓ２４）、一連の処理が終了する。
【０１６６】
そのため、本実施形態の情報検索システムの端末装置Ｔ１は、上述の情報検索装置Ｑにおける検索入力部２１、検索出力部２２と同様に、検索する言葉を入力するために用いられ、検索結果を提供できる。
【０１６７】
また、端末記憶部３４またはサーバ記憶部４６の少なくともいずれかに楽曲情報が記録されている場合には、端末装置Ｔ１が言葉の検索に用いられた後、ユーザが検索結果の入力語または関連語である楽曲名を選択することにより、当該楽曲名に対応する楽曲情報が記録されている端末記憶部３４またはサーバ記憶部４６から当該楽曲情報を取得し、当該楽曲を再生することができる。
【０１６８】
また、本実施形態の情報検索システムは、サーバ装置Ｓにおいて、検索ＤＢを作成する機能を有していたが、これに限定されず、検索ＤＢを作成する機能は有していなくてもよい。この場合、サーバ装置Ｓは、検索ＤＢ４３、分類ＤＢ４４およびサーバ入力部４５を有していなくてもよいが、検索ＤＢ４３の検索情報を参照できるようにする必要がある。
【０１６９】
また、上述の実施形態おいては、サーバＣＰＵ４２が本願における第一選択手段および第二選択手段を有していたが、これに限定されず、端末装置Ｔ１の端末ＣＰＵ３３が本願における第一選択手段および第二選択手段を有し、サーバ装置Ｓの検索ＤＢ４３を参照して、情報検索処理が行ってもよい。
【０１７０】
以上説明したように、本実施形態の情報検索システムは、予め設定された分野に関連する言葉を入力するための端末装置Ｔ１、Ｔ２、Ｔ３…と、上述の検索データベース作成装置Ｍにより作成された検索情報が記憶されている情報検索用記録媒体である検索ＤＢ４３を用いて、入力された言葉に関する情報を検索するためのサーバ装置Ｓとからなる情報検索システムであって、検索される予め設定された楽曲の分野の言葉を入力するための端末入力部３１と、端末入力部３１により入力された言葉を含む同一名称要素または他の文章要素を検索ＤＢ４３に記憶される検索情報から入力語として選択するとともに、入力語に対する関連値が高い順に、同一名称要素または他の文章要素を検索情報から関連語として選択するサーバＣＰＵ４２と、サーバＣＰＵ４２により選択された入力語と関連語とを、対応付けて表示する端末出力部３２と、を有することを特徴とする。
【０１７１】
よって、情報検索システムの端末装置Ｔ１のユーザは、検索するために入力した言葉と関連性の高い関連語の情報を取得することができる。また、入力語に対する関連値が高い順に関連語が選択されることにより、ユーザは、関連語の関連性の高さについても情報を取得することができる。そのため、当該端末装置Ｔ１は、ユーザにとって利便性が向上したものである。
【０１７２】
また、検索ＤＢ４３を作成するの際に様々な文書情報を収集することにより、おおよそ正しく、文章要素間の緩やかな意味での関連性がわかるよう、検索ＤＢ４３に検索情報が記憶されている。そのため、端末装置Ｔ１のユーザは、単に必要な情報を調べられるだけでなく、ユーザが入力する言葉に対して新たな情報得られるとともに、ときには思いがけない情報が得られ、こうした情報を探す面白さがある。
【０１７３】
また、検索ＤＢ４３は楽曲のみの分野に限定した情報を記憶しているため、ユーザが言葉を入力したときに、楽曲のみの分野の種々の情報が得られ、情報検索装置Ｑのユーザは楽曲を目的とした検索がしやすくなる。その他、検索情報の他の文章要素に形容詞等が含まれていれば、ユーザが「明るい」曲、「静かな」曲などを所望する場合に、「明るい」、「静かな」等の言葉を入力し、このような曲調の楽曲を検索することも可能となる。
【０１７４】
上述の情報検索システムにおいて、具体的に、サーバ装置Ｓは、検索ＤＢ４３と、分類ＤＢ４４と、サーバＣＰＵ４２と、を有し、端末装置Ｔ１、Ｔ２、Ｔ３…は、端末入力部３１と、端末出力部３２と、を有する。
【０１７５】
よって、検索ＤＢ４３および分類ＤＢ４４がサーバ装置Ｓに含まれているため、端末装置Ｔ１の記憶容量が増大せずに、端末装置Ｔ１において、検索機能を活用できると共に、他の機能を十分に使用することが可能となる。なお、この端末装置Ｔ１としては、個人用のパーソナルコンピュータ、携帯電話、車載用ナビゲーション装置の付属端末等、種々の端末装置が用いられる。
【０１７６】
（４）その他の実施形態
上述の検索ＤＢ作成装置Ｍ、情報検索装置Ｑおよび情報検索システムの各実施形態は、予め設定された分野を楽曲の分野として説明したが、これに限定されない。例えば、予め設定された分野を、写真や絵画等の静止画像、映画やアニメ等の動画像（映像）を含む画像の分野としてもよい。
【０１７７】
この場合には、検索ＤＢを作成するために、画像の分野における一または複数の分類に属するものの名称を示す名称情報が記録された分類ＤＢが名称情報記録媒体として用いられる。具体的に、この分類ＤＢに記憶される名称情報は、特に限定されないが、静止画像および動画像からなる画像の題名、ドラマの題名、映画の題名、芝居の題名、放送番組の名称、写真の題名、絵画の題名、画像の作製者の名称、画像の出演者の名称、画像が録画された場所の名称、またはこれらの略称若しくは別称の少なくともいずれか一つを含む情報とすることができる。
【０１７８】
なお、画像情報検索用の検索ＤＢを作成する基礎となる文書情報の種類は、楽曲情報検索用の検索ＤＢの場合と同様であるが、楽曲情報ではなく、画像情報が掲載されている文書情報が用いられる。また、画像情報の検索結果を表示する際に、楽曲情報の場合の入力語および関連語の表示に加えて、入力語および関連語の情報の一部の画像等を表示してもよい。
【０１７９】
また、予め設定された分野は、上述の楽曲、画像の分野に限定されず、例えば、情報検索装置は、地名・名所旧跡等からなる観光地の検索や、書籍の検索に用いられるようにしてもよい。さらに、情報検索装置は、楽曲や画像の分野であっても、さらにジャンルを絞って検索できるようにしてもよい。このような情報検索装置とするためには、分類ＤＢに含まれる名称情報および収集する文書情報を、予め設定された分野に応じて変更し、検索ＤＢを作成すればよい。
【０１８０】
ここで、図３に示す流れ図に対応するプログラムをフレキシブルディスク又はハードディスク等の情報記録媒体に記録しておき、或いはインターネット等のネットワークを介して取得して記録しておき、これをマイクロコンピュータ等により読み出して実行することにより、当該マイクロコンピュータを検索ＤＢ作成装置Ｍの実施形態に係るＣＰＵ１３または楽曲情報検索システムの実施形態に係るサーバＣＰＵ４２として機能させることも可能である。同様に、図１４に示す流れ図に対応するプログラムを記録しておき、これをマイクロコンピュータ等により読み出して実行することにより、当該マイクロコンピュータを情報検索装置Ｑの実施形態に係る検索用ＣＰＵ２３または楽曲情報検索システムの実施形態に係るサーバＣＰＵ４２として機能させることも可能である。
【図面の簡単な説明】
【０１８１】
【図１】本願に係る実施形態の検索データベース作成装置の概要構成を示すブロック図である。
【図２】本願に係る実施形態の分類データベースが記憶する名称情報の一例を示す表である。
【図３】本願に係る実施形態の検索データベース作成装置において検索データベースの作成工程を示す流れ図である。
【図４】本願に係る実施形態の検索データベースの作成段階において引用される文書情報の一例を示す文書である。
【図５】本願に係る実施形態の検索データベースの作成段階において文書要素を抽出した一例を示す表である。
【図６】本願に係る実施形態の検索データベースの作成段階に用いる関連値を算出するために規定する得点の例を示す表である。
【図７】本願に係る実施形態の検索データベースの作成段階における一例を示す表である。
【図８】本願に係る実施形態の検索データベースの作成段階における他の例を示す表である。
【図９】本願に係る実施形態の検索データベースの作成段階におけるさらに他の例を示す表である。
【図１０】本願に係る実施形態の検索データベースの作成段階におけるさらに他の例を示す表である。
【図１１】本願に係る実施形態の検索データベースの作成段階におけるさらに他の例を示す表である。
【図１２】本願に係る実施形態の検索データベースが記憶する検索情報の一例を示す表である。
【図１３】本願に係る実施形態の情報検索装置の概要構成を示すブロック図である。
【図１４】本願に係る実施形態の情報検索装置において、楽曲情報を検索する方法を示す流れ図である。
【図１５】本願に係る実施形態の情報検索装置における検索結果の表示の一例である。
【図１６】本願に係る実施形態の情報検索装置における検索結果の表示の他の例である。
【図１７】本願に係る実施形態の情報検索装置における検索結果の表示のさらに他の例である。
【図１８】本願に係る実施形態の情報検索システムの概要構成を示すブロック図である。
【符号の説明】
【０１８２】
１１  入力部
１２  出力部
１３  ＣＰＵ
１３１  抽出部
１３２  算出部
１３３  記憶制御部
１４  検索ＤＢ
１５  分類ＤＢ
２１  検索入力部
２２  検索出力部
２３  検索用ＣＰＵ
２４  検索ＤＢ
２５  検索記憶部
３１  端末入力部
３２  端末出力部
３３  端末ＣＰＵ
３４  端末記憶部
３５  端末通信部
４０  ＬＡＮ
４１  サーバ通信部
４２  サーバＣＰＵ
４３  検索ＤＢ
４４  分類ＤＢ
４５  サーバ入力部
４６  サーバ記憶部
Ｍ  検索ＤＢ作成装置
Ｄ  文書情報
Ｑ  情報検索装置
Ｔ１、Ｔ２、Ｔ３  端末装置
Ｓ  サーバ装置
Ｎ  通信ネットワーク
【図１】
2006146586.tif 000003
【図２】
2006146586.tif 000004
【図３】
2006146586.tif 000005
【図４】
2006146586.tif 000006
【図５】
2006146586.tif 000007
【図６】
2006146586.tif 000008
【図７】
2006146586.tif 000009
【図８】
2006146586.tif 000010
【図９】
2006146586.tif 000011
【図１０】
2006146586.tif 000012
【図１１】
2006146586.tif 000013
【図１２】
2006146586.tif 000014
【図１３】
2006146586.tif 000015
【図１４】
2006146586.tif 000016
【図１５】
2006146586.tif 000017
【図１６】
2006146586.tif 000018
【図１７】
2006146586.tif 000019
【図１８】
2006146586.tif 000020